(57)【要約】【課題】ユーザが移動充電装置のハウジングに軽く触れるだけで発光素子のオン／オフを制御することができ、懐中電灯として用いる照明機能を備え、持ち運びに便利な上にコストを節減することもできるタッチスイッチを有する照明及び移動充電装置を提供する。【解決手段】タッチスイッチを有する照明及び移動充電装置は、ハウジング１、少なくとも１つの発光素子２、タッチユニット３、放電出力インタフェース４及び蓄電装置５を備える。ハウジング１は、本体部１２と、本体部１２に接続された蓋体部１３とを有する。本体部１２及び蓋体部１３は、封止された収納空間１１をそれぞれ有する。発光素子２は、蓋体部１３の収納空間１１中に配置される。タッチユニット３は、蓋体部１３の収納空間１１中に配置され、タッチメインボード３１及びセンサ３２を含む。センサ３２は、蓋体部１３の側壁に配置される。【選択図】図１
0003176495.tif 000002
【実用新案登録請求の範囲】
【請求項１】
ハウジング、少なくとも１つの発光素子、タッチユニット、放電出力インタフェース及び蓄電装置を備えたタッチスイッチを有する照明及び移動充電装置であって、
前記ハウジングは、本体部と、前記本体部に接続された蓋体部と、を有し、前記本体部及び前記蓋体部は、封止された収納空間をそれぞれ有し、
前記発光素子は、前記蓋体部の前記収納空間中に配置され、
前記タッチユニットは、前記蓋体部の前記収納空間中に配置され、タッチメインボード及びセンサを含み、前記センサは、前記蓋体部の側壁に配置され、前記タッチメインボードは、前記本体部に対応するように前記蓋体部の底壁に配置され、前記タッチメインボードは、前記発光素子及び前記センサとそれぞれ電気的に接続され、前記センサがトリガされると、前記発光素子のオン／オフを制御するための信号が前記タッチメインボードに発生し、
前記放電出力インタフェースは、前記蓋体部の前記収納空間中に配置され、前記タッチメインボードと電気的に接続され、前記放電出力インタフェースに対応するように前記ハウジングにホールが設けられ、
前記蓄電装置は、前記本体部の前記収納空間に配置されるとともに電力を蓄えるために用い、前記タッチメインボード及び充電入力インタフェースと電気的に接続され、前記充電入力インタフェースに対応するように、前記ハウジングにホールが設けられていることを特徴とするタッチスイッチを有する照明及び移動充電装置。
【請求項２】
前記本体部の前記収納空間には、前記蓄電装置と電気的に接続された正極リード及び負極リードがそれぞれ配置され、前記蓋体部の前記収納空間には、前記正極リード及び前記負極リードとそれぞれ電気的に接続された正極バネ及び負極バネが配置され、前記正極バネ及び前記負極バネは、前記タッチメインボードと電気的に接続されていることを特徴とする請求項１に記載のタッチスイッチを有する照明及び移動充電装置。
【請求項３】
前記正極リード及び前記負極リードは円環状であることを特徴とする請求項２に記載のタッチスイッチを有する照明及び移動充電装置。
【請求項４】
前記蓋体部の開口端の周縁には、少なくとも２つの係止ブロックが突設され、
前記本体部の開口端の周縁には、前記係止ブロックに対応して係合可能な凹溝が凹設されていることを特徴とする請求項１に記載のタッチスイッチを有する照明及び移動充電装置。
【請求項５】
前記蓋体部は、透明材料からなり、前記発光素子に対応した箇所に設けられたホールを有することを特徴とする請求項１に記載のタッチスイッチを有する照明及び移動充電装置。
【考案の詳細な説明】
【技術分野】
【０００１】
本考案は、タッチスイッチを有する照明及び移動充電装置に関し、特に、ユーザが移動充電装置のハウジングに軽く触れるだけで発光素子のオン／オフを制御することができ、懐中電灯として用いる照明機能を得て、持ち運びに便利な上にコストを節減することもできるタッチスイッチを有する照明及び移動充電装置に関する。
【背景技術】
【０００２】
様々な充電ポート（例えば、ＵＳＢ、ＵＡＲＴ、ＰＳ／２、ＩＥＥＥ１３９４など）を備える電子製品（例えば、携帯電話、カメラ、ノート型パソコン、ＰＤＡ、パームサイズのゲーム機、タブレット型パソコンなど）が次第に普及している。これら電子製品に共通する特性としては、二次電池（例えば、リチウム電池）を使用できる点であるが、これらの電子製品を使用する際の最大の欠点は、外出先で電力を使い果たした場合、充電することが不便であるという点である。
【０００３】
上述の問題点に鑑み、携帯可能な携帯電源が開発され、本考案者が出願した特許文献１の移動充電器は、携帯に便利であり、何時でも何処でも電子製品に電力を迅速に供給することができる。しかし、ユーザが上述の移動充電器を屋外でのキャンプで使用したり旅行の際に携帯したりする場合、夜間又は周囲が真っ暗な状況下では懐中電灯を探すのに時間が多くかかり、非常に不便である。さらに懐中電灯は、通常あまり使用せず、停電のときだけ取り出して使用するのが一般的であるため、収納場所を忘れ易く、停電時には真っ暗な状況下で記憶に頼りながら手探りで懐中電灯を探す必要がある。そのため、物にぶつかったり転倒したりする事故が起きる虞がある。
【先行技術文献】
【特許文献】
【０００４】
【特許文献１】国際特許出願ＰＣＴ／ＣＮ２０１１／０７１６５１号
【考案の概要】
【考案が解決しようとする課題】
【０００５】
本考案の目的は、ユーザが移動充電装置のハウジングに軽く触れるだけで発光素子のオン／オフを制御することができ、懐中電灯として用いる照明機能を備え、持ち運びに便利な上にコストを節減することもできるタッチスイッチを有する照明及び移動充電装置を提供することにある。
【課題を解決するための手段】
【０００６】
上記課題を解決するために、本考案の第１の形態によれば、ハウジング、少なくとも１つの発光素子、タッチユニット、放電出力インタフェース及び蓄電装置を備えたタッチスイッチを有する照明及び移動充電装置であって、前記ハウジングは、本体部と、前記本体部に接続された蓋体部と、を有し、前記本体部及び前記蓋体部は、封止された収納空間をそれぞれ有し、前記発光素子は、前記蓋体部の前記収納空間中に配置され、前記タッチユニットは、前記蓋体部の前記収納空間中に配置され、タッチメインボード及びセンサを含み、前記センサは、前記蓋体部の側壁に配置され、前記タッチメインボードは、前記本体部に対応するように前記蓋体部の底壁に配置され、前記タッチメインボードは、前記発光素子及び前記センサとそれぞれ電気的に接続され、前記センサがトリガされると、前記発光素子のオン／オフを制御するための信号が前記タッチメインボードに発生し、前記放電出力インタフェースは、前記蓋体部の前記収納空間中に配置され、前記タッチメインボードと電気的に接続され、前記放電出力インタフェースに対応するように前記ハウジングにホールが設けられ、前記蓄電装置は、前記本体部の前記収納空間に配置されるとともに電力を蓄えるために用い、前記タッチメインボード及び充電入力インタフェースと電気的に接続され、前記充電入力インタフェースに対応するように、前記ハウジングにホールが設けられていることを特徴とするタッチスイッチを有する照明及び移動充電装置が提供される。
【０００７】
前記本体部の前記収納空間には、前記蓄電装置と電気的に接続された正極リード及び負極リードがそれぞれ配置され、前記蓋体部の前記収納空間には、前記正極リード及び前記負極リードとそれぞれ電気的に接続された正極バネ及び負極バネが配置され、前記正極バネ及び前記負極バネは、前記タッチメインボードと電気的に接続されていることが好ましい。
【０００８】
前記正極リード及び前記負極リードは円環状であることが好ましい。
【０００９】
前記蓋体部の開口端の周縁には、少なくとも２つの係止ブロックが突設され、前記本体部の開口端の周縁には、前記係止ブロックに対応して係合可能な凹溝が凹設されていることが好ましい。
【００１０】
前記蓋体部は、透明材料からなり、前記発光素子に対応した箇所に設けられたホールを有することが好ましい。
【考案の効果】
【００１１】
本考案のタッチスイッチを有する照明及び移動充電装置を実際に使用する際、ユーザが夜間又は真っ暗な状況下でもハウジングの蓋体部を指で軽く触れるだけで、蓋体部の側壁に配置されたセンサがトリガされ、タッチメインボードが発生させた信号を蓄電装置と発光素子との間の回路に導通させ、光源で周りを照らし、懐中電灯として用いる照明機能を得ることができる。さらに、屋外でキャンプをしたり旅行をしたりする際、懐中電灯を別に携帯する必要がない上、何時でも何処でも電子製品へ迅速に電力を供給することができる機能を備えているため、持ち運びに便利な上、コストを節減することもできる。
【図面の簡単な説明】
【００１２】
【図１】本考案の一実施形態に係るタッチスイッチを有する照明及び移動充電装置を示す斜視図である。
【図２】本考案の一実施形態に係るタッチスイッチを有する照明及び移動充電装置を示す分解斜視図である。
【図３】本考案の一実施形態に係るタッチスイッチを有する照明及び移動充電装置の電気的に接続された関係を示すブロック図である。
【図４】本考案の一実施形態に係るタッチスイッチを有する照明及び移動充電装置を発光照明として使用するときの状態を示す斜視図である。
【図５】本考案の一実施形態に係るタッチスイッチを有する照明及び移動充電装置のセンサがトリガされ、放電出力インタフェースを電子装置に接続して使用するときの状態を示す斜視図である。
【図６】本考案の一実施形態に係るタッチスイッチを有する照明及び移動充電装置の放電出力インタフェースを電子装置に接続して使用するときの状態を示す斜視図である。
【考案を実施するための形態】
【００１３】
図１及び図２を参照する。図１及び図２に示すように、本考案の一実施形態に係るタッチスイッチを有する照明及び移動充電装置は、少なくともハウジング１、少なくとも１つの発光素子２、タッチユニット３、放電出力インタフェース４及び蓄電装置５から構成される。
【００１４】
ハウジング１は、本体部１２と、本体部１２に接続された蓋体部１３と、を含む。本体部１２及び蓋体部１３は、封止された収納空間１１をそれぞれ有する。本実施形態の蓋体部１３の開口端の周縁には、少なくとも２つの係止ブロック１３１が突設される。本体部１２の開口端の周縁には、係止ブロック１３１に対応して係合可能な凹溝１２１が凹設されている。蓋体部１３は、透明材料からなる。ハウジング１は円筒形状である。
【００１５】
発光素子２は、蓋体部１３の収納空間１１中に配置される。蓋体部１３は、発光素子２に対応した箇所にホール１４が設けられている。発光素子２は、白熱電球又はＬＥＤ電球でもよい。発光は、常時点灯又は点滅の方式でもよい。本実施形態では、２つのＬＥＤ電球である発光素子２が蓋体部１３内に配置されている。
【００１６】
タッチユニット３は、蓋体部１３の収納空間１１中に配置され、タッチメインボード３１及びセンサ３２を含む。センサ３２は、蓋体部１３の側壁に配置される。タッチメインボード３１は、本体部１２に対応するように蓋体部１３の底壁に配置される。タッチメインボード３１は、発光素子２及びセンサ３２とそれぞれ電気的に接続され、センサ３２がトリガされると、発光素子２のオン／オフを制御するための信号がタッチメインボード３１に発生する。
【００１７】
放電出力インタフェース４は、蓋体部１３の収納空間１１中に配置され、タッチメインボード３１と電気的に接続され、放電出力インタフェース４に対応するようにハウジング１にホール１４が設けられる。
【００１８】
蓄電装置５は、本体部１２の収納空間１１に配置されるとともに電力を蓄えるために用い、タッチメインボード３１及び充電入力インタフェース５１と電気的に接続されている。ハウジング１には、充電入力インタフェース５１に対応するようにホール１４が設けられている。
【００１９】
本体部１２の収納空間１１には、蓄電装置５と電気的に接続された正極リード５２及び負極リード５３がそれぞれ配置されている。蓋体部１３の収納空間１１には、正極リード５２及び負極リード５３とそれぞれ電気的に接続された正極バネ３３及び負極バネ３４が配置されている。正極バネ３３及び負極バネ３４は、タッチメインボード３１と電気的に接続されている。正極リード５２及び負極リード５３は、円環状である。
【００２０】
図２及び図３を参照する。図２及び図３に示すように、上述のタッチスイッチを有する照明及び移動充電装置を実際に使用する際、ユーザは、夜間又は真っ暗な状況下でもハウジング１のタッチメインボード３１に指で軽く触れるだけで、蓋体部１３の側壁に配置されたセンサ３２がトリガされ、タッチメインボード３１が発生させた信号を蓄電装置５と発光素子２との間に回路に導通させ、蓄電装置５の正極リード５２から、正極バネ３３、タッチメインボード３１、発光素子２、タッチメインボード３１、負極バネ３４、負極リード５３へ電流を順次流してから、最終的に蓄電装置５に戻る電流回路を形成する。この構成により、発光素子２から光が出射されて周りを明るく照らすことができる。図４を参照する。図４に示すように、屋外でキャンプをしたり旅行をしたりするときにも照明機能を得ることができるため、さらに別に懐中電灯を携帯する必要がない。
【００２１】
図５及び図６を参照する。図５及び図６に示すように、本実施形態に係るタッチスイッチを有する照明及び移動充電装置が、蓄電装置５内に蓄えた電力を電源ケーブル７を介して電子装置６へ送り、電子装置６に外部電力を供給する方式及びその効果は、特許文献１においてすでに開示されているため、ここでは詳しく述べない。さらに、本実施形態の蓄電装置５は、電力を使い果たしたときに、もう一つの電源ケーブル（図示せず）の一端を商用電源のプラグ受けに差込み、他端を本体部１２のホール１４から充電入力インタフェース５１へ差込むが、その使用方式は特許文献１において開示されているため、ここでは詳しく述べない。
【００２２】
上述したことから分かるように、本考案のタッチスイッチを有する照明及び移動充電装置は、以下（１）〜（３）の長所を有する。
（１）蓋体部の側壁にセンサが設けられているため、ユーザがハウジングの蓋体部に軽く触れるだけで、タッチメインボードに信号が生成され、蓄電装置と発光素子との間の回路を導通／開放し、照明機能を得る。
（２）主体部の収納空間に配置した蓄電装置をタッチメインボード及び発光素子とそれぞれ電気的に接続させ、何時でも何処でも電子製品の緊急電源供給用として用いることができるため、単純に懐中電灯として用いることができる上、持ち運びに便利でコストを節減することができる。
（３）電子製品に電力を供給する機能と照明機能とが結合されているため、ユーザは当該装置の位置を容易に知ることができる。停電が発生したときに照明機能を迅速に利用することができるため、暗闇でも懐中電灯を短時間で探すことができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１      ハウジング
２      発光素子
３      タッチユニット
４      放電出力インタフェース
５      蓄電装置
６      電子装置
７      電源ケーブル
１１    収納空間
１２    本体部
１３    蓋体部
１４    ホール
３１    タッチメインボード
３２    センサ
３３    正極バネ
３４    負極バネ
５１    充電入力インタフェース
５２    正極リード
５３    負極リード
１２１  凹溝
１３１  係止ブロック
【図１】
0003176495.tif 000003
【図２】
0003176495.tif 000004
【図３】
0003176495.tif 000005
【図４】
0003176495.tif 000006
【図５】
0003176495.tif 000007
【図６】
0003176495.tif 000008